(57)【要約】【課題】画像形成に関わるアプリケーションの評価を適切に行う【解決手段】ＨＤＤ１０６により、ページ記述言語による評価対象の画像データを記憶し、画像処理部１１７により、評価対象の画像データを画像処理し、印刷可能な第１の画像データとし、画像比較部１１８により、第１の画像データと印刷可能な評価基準の第２の画像データとを比較し、システム制御部１２１により、画像比較部１１８による比較結果をパネル部１０５に表示させる。このように、画像処理部１１７が評価対象の画像データを画像処理するため、画像処理された印刷可能な第１の画像データにデータ劣化が生じないことから、評価基準となる第２の画像データと、画像処理された評価対象の第１の画像データとの比較を適切に行うことができる。【選択図】図１
2018074373.tif 000002
【特許請求の範囲】
【請求項１】
パネル部と、
ページ記述言語による評価対象の画像データを記憶する記憶デバイスと、
前記評価対象の画像データを画像処理し、印刷可能な第１の画像データとする画像処理部と、
前記第１の画像データと印刷可能な評価基準の第２の画像データとを比較する画像比較部と、
前記画像比較部による比較結果を前記パネル部に表示させるシステム制御部とを備える
ことを特徴とする電子機器。
【請求項２】
プリンター部を備え、
前記システム制御部は、前記第１の画像データと前記第２の画像データとの比較結果を前記プリンター部によって印刷させる
ことを特徴とする請求項１に記載の電子機器。
【請求項３】
前記システム制御部は、前記画像比較部による比較結果が不一致である場合、前記画像処理部に対し、前記第１の画像データに不一致箇所を示す情報を付加させることを特徴とする請求項１または２に記載の電子機器。
【請求項４】
記憶デバイスにより、ページ記述言語による評価対象の画像データを記憶する工程と、
画像処理部により、前記評価対象の画像データを画像処理し、印刷可能な第１の画像データとする工程と、
画像比較部により、前記第１の画像データと印刷可能な評価基準の第２の画像データとを比較する工程と、
システム制御部により、前記画像比較部による比較結果を前記パネル部に表示させる工程とを電子機器を制御するコンピューターに実行させる
ことを特徴とする画像評価プログラム。
【発明の詳細な説明】
【技術分野】
【０００１】
本発明は、画像形成に関わるアプリケーションの評価に適した電子機器及び画像評価プログラムに関する。
【背景技術】
【０００２】
たとえば、多機能プリンター、複合機などのＭＦＰ（Ｍｕｌｔｉｆｕｎｃｔｉｏｎ  Ｐｅｒｉｐｈｅｒａｌ）である画像形成装置においては、印刷機能、コピー機能、ＦＡＸ機能、ネットワーク経由でのデータ送受信機能などを搭載している機種がある。ところで、画像形成装置では、たとえば画像の印刷制御に関わるプリンタードライバなどをバージョンアップした際、バージョンアップした画像形成に関わるアプリケーションの評価を行う場合がある。
【０００３】
このようなアプリケーションの評価を行うものとして、特許文献１では、原稿読取装置で読み取った評価基準の画像データをフレームメモリーに記憶し、ホスト装置からの評価基準となる画像データをプリンター用フレームメモリーに展開し、画像比較部によりフレームメモリーの画像データとプリンター用フレームメモリーの画像データとを１ドットずつ比較し、印刷装置により比較した比較データを印刷したり、ホスト装置に伝送したりするデジタル複合機を提案している。
【先行技術文献】
【特許文献】
【０００４】
【特許文献１】特開平０８−２２８２５０号公報
【発明の概要】
【発明が解決しようとする課題】
【０００５】
上述した特許文献１でのデジタル複合機では、画像比較部による、フレームメモリーの画像データとプリンター用フレームメモリーの画像データとの比較結果である比較データを印刷装置により印刷することで、原稿読取装置で読み取った画像との比較を目視により行うことができる。また、画像比較部による比較結果である比較データをホスト装置に伝送することで、ホスト装置のオペレータに印刷の適否を知らせることができる。
【０００６】
ところが、このデジタル複合機では、評価基準の画像データを印刷した原稿を原稿読取装置で読み取っている。このため、たとえば原稿読取装置の読み取り精度が劣化していたり、原稿読取装置に埃などが付着していたりすると、原稿読取装置で読み取られた画像データが劣化するおそれがある。この場合、ホスト装置からの評価基準となる画像データとの比較による画像形成に関わるアプリケーションの評価を適切に行うことができないという問題がある。
【０００７】
本発明は、このような状況に鑑みてなされたものであり、上記問題点を解消することができる電子機器及び画像評価プログラムを提供することを目的とする。
【課題を解決するための手段】
【０００８】
本発明の電子機器は、パネル部と、ページ記述言語による評価対象の画像データを記憶する記憶デバイスと、前記評価対象の画像データを画像処理し、印刷可能な第１の画像データとする画像処理部と、前記第１の画像データと印刷可能な評価基準の第２の画像データとを比較する画像比較部と、前記画像比較部による比較結果を前記パネル部に表示させるシステム制御部とを備えることを特徴とする。
また、プリンター部を備え、前記システム制御部は、前記第１の画像データと前記第２の画像データとの比較結果を前記プリンター部によって印刷させることを特徴とする。
また、前記システム制御部は、前記画像比較部による比較結果が不一致である場合、前記画像処理部に対し、前記第１の画像データに不一致箇所を示す情報を付加させることを特徴とする。
本発明の画像評価プログラムは、記憶デバイスにより、ページ記述言語による評価対象の画像データを記憶する工程と、画像処理部により、前記評価対象の画像データを画像処理し、印刷可能な第１の画像データとする工程と、画像比較部により、前記第１の画像データと印刷可能な評価基準の第２の画像データとを比較する工程と、システム制御部により、前記画像比較部による比較結果を前記パネル部に表示させる工程とを電子機器を制御するコンピューターに実行させることを特徴とする。
本発明の電子機器及び画像評価プログラムでは、記憶デバイスにより、ページ記述言語による評価対象の画像データを記憶し、画像処理部により、評価対象の画像データを画像処理し、印刷可能な第１の画像データとし、画像比較部により、第１の画像データと印刷可能な評価基準の第２の画像データとを比較し、システム制御部により、画像比較部による比較結果をパネル部に表示させる。
このように、画像処理部が評価対象の画像データを画像処理するため、画像処理された印刷可能な第１の画像データにデータ劣化が生じないことから、評価基準となる第２の画像データと、画像処理された評価対象の第１の画像データとの比較を適切に行うことができる。
【発明の効果】
【０００９】
本発明の電子機器及び画像評価プログラムによれば、評価基準となる第２の画像データと、画像処理された評価対象の第１の画像データとの比較を適切に行うことができるので、画像形成に関わるアプリケーションの評価を適切に行うことができる。
【図面の簡単な説明】
【００１０】
【図１】本発明の電子機器をＭＦＰに適用した場合の一実施形態を示す図である。
【図２】図１の画像比較部による画像データの比較の概要について説明するものであって、図２（ａ）は図１の情報配信サーバーから受け取った評価基準の画像データ（たとえばラスタデータ）のイメージファイルを示し、図２（ｂ）は図１の画像処理部がホスト端末から受け取ったページ記述言語による評価対象の画像データに対し画像処理（ラスタライズ）した第１の画像データ（たとえばラスタデータ）のイメージファイルを示し、図２（ｃ）は画像比較部による比較結果が一致である場合のイメージファイルを示し、図２（ｄ）は画像比較部による比較結果が不一致である場合のイメージファイル示す図である。
【図３】図１のＭＦＰによる画像評価の処理について説明するためのフローチャートである。
【発明を実施するための形態】
【００１１】
以下、本発明の電子機器の一実施形態を、図１〜図３を参照しながら説明する。なお、以下の説明においての電子機器の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１２】
まず、図１に示すように、ＭＦＰ１００は、インターネットなどのネットワーク３００を介し、評価基準の画像データなどの情報を配信する情報配信サーバー２００に接続されているとする。なお、情報配信サーバー２００から配信される評価対象の画像データは、たとえばラスタデータである。また、情報配信サーバー２００は、ＭＦＰ１００の機種毎に評価基準の画像データを管理しており、ＭＦＰ１００からの配信要求に含まれる機種情報に該当する評価基準の画像データをＭＦＰ１００に配信する。なお、ＭＦＰ１００が情報配信サーバー２００からの評価対象の画像データを受け取れない場合（ＭＦＰ１００がオフラインで使用されている場合など）、評価基準の画像データなどを図示しないＵＳＢ（Ｕｎｉｖｅｒｓａｌ  Ｓｅｒｉａｌ  Ｂｕｓ）メモリーなどの記憶デバイスから取り込んでもよい。
【００１３】
また、ＭＦＰ１００は、社内ＬＡＮ（ｌｏｃａｌ  ａｒｅａ  ｎｅｔｗｏｒｋ）などを介してホスト端末４００に接続されている。ホスト端末４００は、ページ記述言語による評価対象の画像データをＭＦＰ１００に与える。なお、ＭＦＰ１００がホスト端末４００からの評価対象の画像データを受け取れない場合（ＭＦＰ１００がオフラインで使用されている場合など）、評価対象の画像データを図示しないＵＳＢメモリーなどの記憶デバイスから取り込んでもよい。
【００１４】
ここで、ＭＦＰ１００は、スキャナー部１０１、プリンター部１０２、ＦＡＸ部１０３、Ｉ／Ｆ（インターフェース）１０４、パネル部１０５及びＨＤＤ１０６の動作を制御する制御部１１０を備えている。
【００１５】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１６】
Ｉ／Ｆ１０４は、ネットワーク３００を介し、情報配信サーバー２００に接続されている。また、Ｉ／Ｆ１０４は、社内ＬＡＮを介し、ホスト端末４００に接続されている。なお、Ｉ／Ｆ１０４は、他の図示しないＭＦＰやユーザー端末などとの通信を受け持ってもよいし、図示しないコンテンツサーバーやウェブサーバーなどとの通信を受け持ってもよい。パネル部１０５は、ＭＦＰ１００の印刷機能、コピー機能、ＦＡＸ機能、ネットワーク３００経由でのデータ送受信機能や、各種設定のための表示を行うタッチパネルなどのデバイスである。ＨＤＤ１０６は、ＭＦＰ１００の種々の機能を提供するためのアプリケーションプログラムなどを記憶している記憶デバイスである。また、ＨＤＤ１０６は、たとえばユーザー端末側から登録された印刷ジョブ及びページ記述言語による印刷対応データなどを記憶するユーザーボックスを有している。
【００１７】
制御部１１０は、認証プログラムなどのアプリケーションプログラム、画像形成プログラム、及び制御プログラムなどを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１１６、画像処理部１１７、画像比較部１１８、パネル操作制御部１１９、ＨＤＤ制御部１２０、システム制御部１２１を備えている。また、これらは、データバス１２２に接続されている。
【００１８】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク３００経由でのデータなどの送受信の制御を行う。
【００１９】
ＲＡＭ１１５は、プログラムを実行するためのワークメモリーである。また、ＲＡＭ１１５は、画像処理部１１７によって画像処理された印刷データ（たとえばラスタデータ）を記憶する。ＥＥＰＲＯＭ１１６には、各部の動作チェックなどを行う制御プログラムが記憶されている。
【００２０】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。また、画像処理部１１７は、ホスト端末４００から受け取ったページ記述言語による評価対象の画像データに対し、画像処理（ラスタライズ）を行う。なお、以下では、画像処理部１１７が画像処理（ラスタライズ）した評価対象の画像データを第１の画像データという。
【００２１】
画像比較部１１８は、情報配信サーバー２００から受け取った評価基準の画像データ（たとえばラスタデータ：以下、第２の画像データという）と、画像処理部１１７が画像処理（ラスタライズ）した評価対象の第１の画像データとを比較する。また、画像比較部１１８は、比較結果をシステム制御部１２１に通知する。画像比較部１１８は、評価対象の第１の画像データと評価基準の第２の画像データとを比較する場合、たとえば１画素毎にデータ比較を行う。なお、画像比較部１１８は、ＭＤ−２、ＭＤ−５、ＳＨＡ−１などのハッシュ関数により、それぞれの画像データのハッシュ値を求めることで、両者の画像データを比較してもよい。
【００２２】
パネル操作制御部１１９は、パネル部１０５の表示動作を制御する。また、パネル操作制御部１１９は、パネル部１０５を介し、印刷、コピー、ＦＡＸ、ネットワーク３００経由でのデータ送受信などの開始を受け付ける。また、パネル操作制御部１１９は、システム制御部１２１の指示に基づき、パネル部１０５に対し、画像比較部１１８による比較結果を表示させる。
【００２３】
システム制御部１２１は、各部の連携動作などを制御する。また、システム制御部１２１は、パネル部１０５を介してコピーや印刷などが選択されると、スキャナー制御部１１１やプリンター制御部１１２を介し、スキャナー部１０１による原稿の読み取りやプリンター部１０２による用紙への印刷を制御する。また、システム制御部１２１は、パネル操作制御部１１９がパネル部１０５を介して評価開始の指示を受け付けると、情報配信サーバー２００に対し評価基準の第２の画像データの配信を要求する。また、システム制御部１２１は、画像比較部１１８に対し、画像処理部１１７が画像処理（ラスタライズ）した評価対象の第１の画像データと、情報配信サーバー２００から受け取った評価基準の第２の画像データとの比較を指示する。
【００２４】
次に、図２を参照し、画像比較部１１８による画像データの比較の概要について説明する。まず、図２（ａ）は、情報配信サーバー２００から受け取った評価基準の第２の画像データのイメージファイル２００ａを示している。図２（ｂ）は、ホスト端末４００から受け取ったページ記述言語による評価対象の画像データに対し、画像処理部１１７が画像処理（ラスタライズ）した第１の画像データのイメージファイル４００ａを示している。
【００２５】
画像比較部１１８は、システム制御部１２１からの指示に基づき、イメージファイル２００ａの第２の画像データと、イメージファイル４００ａの第１の画像データとを比較する。この場合、画像比較部１１８は、たとえばイメージファイル２００ａ、４００ａのそれぞれの画像データに対し、１画素毎にデータ比較を行い、一致していれば比較結果が一致であることをシステム制御部１２１に通知し、一致していなければ比較結果が不一致であることをシステム制御部１２１に通知する。
【００２６】
図２（ｃ）は、画像比較部１１８による比較結果が一致である場合のイメージファイル２００ｂを示している。すなわち、画像比較部１１８による比較結果が一致である場合、イメージファイル２００ｂにはたとえば不一致箇所の指摘などが含まれない。一方、図２（ｄ）は、画像比較部１１８による比較結果が不一致である場合のイメージファイル２００ｃを示している。すなわち、画像比較部１１８による比較結果が不一致である場合、イメージファイル２００ｃにはたとえば不一致箇所の指摘などが含まれる。なお、不一致箇所とは、たとえば１画素毎のデータ比較により、一致しない画素の画像データを示すものであり、たとえば図示のようにハッチングによって表示できる。また、一致しない画素の画像データについては、ハッチングに限らず、特定の色（たとえば赤）のデータを付加してもよい。このように、ハッチングや特定の色のデータによる不一致箇所を示す情報の付加により、比較結果が不一致であるイメージファイル２００ｃをパネル部１０５に表示させたり、用紙に印刷したりした際、画像比較部１１８による比較結果の確認が容易となり、画像形成に関わるアプリケーションの評価を適切に行える。なお、不一致箇所のハッチングや、一致しない画素の画像データに特定の色のデータを付加する処理は、画像処理部１１７がシステム制御部１２１の指示に基づき実行する。
【００２７】
次に、図３を参照し、画像評価の処理について説明する。なお、以下では、ホスト端末４００からのページ記述言語による評価対象の画像データがＭＦＰ１００のＨＤＤ１０６に記憶されているものとして説明する。
【００２８】
（ステップＳ１０１）
システム制御部１２１は、評価開始の指示有りかどうかを判断する。
この場合、システム制御部１２１は、パネル操作制御部１１９からのパネル部１０５を介して評価開始の指示を受け付けたことを示す通知が無ければ評価開始の指示が無いと判断する（ステップＳ１０１：Ｎｏ）。
これに対し、システム制御部１２１は、パネル操作制御部１１９からのパネル部１０５を介して評価開始の指示を受け付けたことを示す通知が有れば評価開始の指示が有ると判断し（ステップＳ１０１：Ｙｅｓ）、ステップＳ１０２に移行する。
【００２９】
（ステップＳ１０２）
システム制御部１２１は、評価基準の第２の画像データの配信を要求する。
この場合、システム制御部１２１は、通信制御部１１４に対し、情報配信サーバー２００に対して評価基準の第２の画像データの配信を要求させる。このとき、通信制御部１１４は、ＭＦＰ１００の機種を示す機種情報を配信要求に含ませる。
【００３０】
（ステップＳ１０３）
システム制御部１２１は、評価基準の第２の画像データを受け取ったかどうかを判断する。
この場合、システム制御部１２１は、通信制御部１１４からの評価基準の第２の画像データを受け取ったことを示す通知が無ければ評価基準の第２の画像データを受け取っていないと判断する（ステップＳ１０３：Ｎｏ）。
これに対し、システム制御部１２１は、通信制御部１１４からの評価基準の第２の画像データを受け取ったことを示す通知が有れば評価基準の第２の画像データを受け取ったと判断し（ステップＳ１０３：Ｙｅｓ）、ステップＳ１０４に移行する。
【００３１】
（ステップＳ１０４）
システム制御部１２１は、ＨＤＤ１０６に記憶させる。
この場合、システム制御部１２１は、ＨＤＤ制御部１２０に対し、通信制御部１１４が受け取った評価基準の第２の画像データをＨＤＤ１０６に記憶させる。
【００３２】
（ステップＳ１０５）
システム制御部１２１は、評価対象の画像データの画像処理を指示する。
この場合、システム制御部１２１は、画像処理部１１７に対し、ＨＤＤ１０６に記憶されているページ記述言語による評価対象の画像データに対しての画像処理を指示する。
このとき、画像処理部１１７は、ＨＤＤ１０６に記憶されているページ記述言語による評価対象の画像データに対し、画像処理（ラスタライズ）を行う。
【００３３】
（ステップＳ１０６）
システム制御部１２１は、第１の画像データと第２の画像データとの比較を指示する。
この場合、システム制御部１２１は、画像比較部１１８に対し、画像処理部１１７が画像処理した評価対象の第１の画像データと、情報配信サーバー２００から受け取った評価基準の第２の画像データとの比較を指示する。
このとき、画像比較部１１８は、画像処理部１１７が画像処理した評価対象の第１の画像データと、情報配信サーバー２００から受け取った評価基準の第２の画像データとを比較し、比較結果をシステム制御部１２１に通知する。
なお、画像比較部１１８は、ＭＤ−２、ＭＤ−５、ＳＨＡ−１などのハッシュ関数により、それぞれの画像データのハッシュ値を求めることで、両者の画像データを比較してもよい。
【００３４】
（ステップＳ１０７）
システム制御部１２１は、比較が完了したかどうかを判断する。
この場合、システム制御部１２１は、画像比較部１１８からの比較の完了を示す通知が無ければ比較が完了していないと判断する（ステップＳ１０７：Ｎｏ）。
これに対し、システム制御部１２１は、画像比較部１１８からの比較の完了を示す通知が有れば比較が完了したと判断し（ステップＳ１０７：Ｙｅｓ）、ステップＳ１０８に移行する。
【００３５】
（ステップＳ１０８）
システム制御部１２１は、比較結果を表示させる。
この場合、システム制御部１２１は、パネル操作制御部１１９に対し、パネル部１０５への比較結果の表示を指示する。このとき、パネル操作制御部１１９は、比較結果が一致であれば、パネル部１０５にたとえば図２（ｃ）に示した不一致箇所の指摘などが含まれないイメージファイル２００ｂを表示させる。これに対し、パネル操作制御部１１９は、比較結果が不一致であれば、パネル部１０５にたとえば図２（ｄ）に示した不一致箇所の指摘などが含まれるイメージファイル２００ｃを表示させる。
【００３６】
（ステップＳ１０９）
システム制御部１２１は、比較結果の印刷の指示が有るかどうかを判断する。
この場合、システム制御部１２１は、パネル操作制御部１１９からのパネル部１０５を介しての比較結果の印刷の指示があることを示す通知が無ければ比較結果の印刷の指示が無いと判断する（ステップＳ１０９：Ｎｏ）。
これに対し、システム制御部１２１は、パネル操作制御部１１９からのパネル部１０５を介しての比較結果の印刷の指示があることを示す通知が有れば比較結果の印刷の指示が有ると判断し（ステップＳ１０９：Ｙｅｓ）、ステップＳ１１０に移行する。
【００３７】
（ステップＳ１１０）
システム制御部１２１は、比較結果を印刷させる。
この場合、システム制御部１２１は、プリンター制御部１１２に対し、比較結果の印刷を指示する。
このとき、プリンター制御部１１２は、プリンター部１０２に対し、比較結果が一致であれば、たとえば図２（ｃ）に示した不一致箇所の指摘などが含まれないイメージファイル２００ｂを印刷させる。
これに対し、プリンター制御部１１２は、プリンター部１０２に対し、比較結果が不一致であれば、たとえば図２（ｄ）に示した不一致箇所の指摘などが含まれるイメージファイル２００ｃを印刷させる。
【００３８】
（ステップＳ１１１）
システム制御部１２１は、印刷が完了したかどうかを判断する。
この場合、システム制御部１２１は、プリンター制御部１１２からの印刷完了を示す通知が無ければ印刷が完了していないと判断する（ステップＳ１１１：Ｎｏ）。
これに対し、システム制御部１２１は、プリンター制御部１１２からの印刷完了を示す通知が有れば印刷が完了したと判断し（ステップＳ１１１：Ｙｅｓ）、処理を終了する。
【００３９】
このように、本実施形態では、ＨＤＤ１０６（記憶デバイス）により、ページ記述言語による評価対象の画像データを記憶し、画像処理部１１７により、評価対象の画像データを画像処理し、印刷可能な第１の画像データとし、画像比較部１１８により、第１の画像データと印刷可能な評価基準の第２の画像データとを比較し、システム制御部１２１により、画像比較部１１８による比較結果をパネル部１０５に表示させる。
【００４０】
このように、画像処理部１１７が評価対象の画像データを画像処理するため、画像処理された印刷可能な第１の画像データにデータ劣化が生じないことから、評価基準となる第２の画像データと、画像処理された評価対象の第１の画像データとの比較を適切に行うことができ、画像形成に関わるアプリケーションの評価を適切に行うことができる。
【００４１】
なお、本実施形態では、電子機器をＭＦＰ１００に適用した場合として説明したが、この例に限らず、ドライバなどのアプリケーションのバージョンアップが行われる、多機能プリンター、ＰＣ（ｐｅｒｓｏｎａｌ  ｃｏｍｐｕｔｅｒ）、スマートフォンなどの他の電子機器に適用してもよい。
【符号の説明】
【００４２】
１００  ＭＦＰ
１０１  スキャナー部
１０２  プリンター部
１０３  ＦＡＸ部
１０４  Ｉ／Ｆ
１０５  パネル部
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  画像比較部
１１９  パネル操作制御部
１２０  ＨＤＤ制御部
１２１  システム制御部
１２２  データバス
２００  情報配信サーバー
２００ａ〜２００ｃ、４００ａ  イメージファイル
３００  ネットワーク
４００  ホスト端末
【図１】
2018074373.tif 000003
【図２】
2018074373.tif 000004
【図３】
2018074373.tif 000005